(57)【要約】【課題】人が静止していて人感センサが人を検知しない場合でも、光源が消灯するのを極力回避することのできる照明装置を提供する。【解決手段】ランプ１０Ａ及び点灯回路１０Ｂを有する光源部１０と、光源部１０を保持する器具本体１４と、点灯回路１０Ｂを制御してランプ１０Ａの点灯制御を行う制御部１１と、人の存否を検知する人感センサ１２と、電気機器を遠隔操作するためのリモコン５から送信されるリモコン信号を受信する受信部１３とを備え、制御部１１は、人感センサ１２が人の存在を検知するとランプ１０Ａを点灯させ、少なくとも人感センサ１２が人の存在を検知しなくなってから所定の維持時間が経過するまではランプ１０Ａの点灯を維持し、且つリモコン信号から電気機器の動作状態を把握し、何れかの電気機器が動作している場合には、維持時間が経過してからもランプ１０Ａの点灯を維持する。【選択図】図１
2013084386.tif 000002
【特許請求の範囲】
【請求項１】
光源及びその点灯回路を有する光源部と、前記光源部を保持する器具本体と、前記点灯回路を制御して前記光源の点灯制御を行う制御部と、人の存否を検知する人感センサと、１乃至複数の電気機器を遠隔操作するためのリモコンから送信されるリモコン信号を受信する受信部とを備え、前記制御部は、前記人感センサが人の存在を検知すると前記光源を点灯させ、少なくとも前記人感センサが人の存在を検知しなくなってから所定の維持時間が経過するまでは前記光源の点灯を維持し、且つ前記リモコン信号から前記電気機器の動作状態を把握し、前記何れかの電気機器が動作している場合には、前記維持時間が経過してからも前記光源の点灯を維持することを特徴とする照明装置。
【請求項２】
光源及びその点灯回路を有する光源部と、前記光源部を保持する器具本体と、前記点灯回路を制御して前記光源の点灯制御を行う制御部と、人の存否を検知する人感センサと、１乃至複数の電気機器を遠隔操作するためのリモコンから送信されるリモコン信号を受信する受信部とを備え、前記制御部は、前記人感センサが人の存在を検知すると前記光源を点灯させ、少なくとも前記人感センサが人の存在を検知しなくなってから所定の維持時間が経過するまでは前記光源の点灯を維持し、且つ前記リモコン信号から前記電気機器の動作状態を把握し、前記維持時間は、前記何れかの電気機器が動作している場合には、通常時よりも長く設定されることを特徴とする照明装置。
【請求項３】
前記器具本体には、前記電気機器に対して前記リモコン信号を送信する送信部が設けられ、前記制御部は、前記人感センサが人を検知しなくなってから前記維持時間を経過すると、前記電気機器の動作状態を変化させる操作情報を含む前記リモコン信号を前記送信部から前記電気機器に対して送信させることを特徴とする請求項１又は２記載の照明装置。
【請求項４】
前記リモコン信号は、近赤外線信号又は電磁波を媒体とする無線信号であることを特徴とする請求項１乃至３の何れか１項に記載の照明装置。
【発明の詳細な説明】
【技術分野】
【０００１】
本発明は、照明装置に関する。
【背景技術】
【０００２】
従来から、人の存否を検知する人感センサ部と照明負荷とを備え、人感センサ部が人を検知すると照明負荷を自動的に点灯させるとともに、人を検知しなくなると所定の点灯保持時間後に照明負荷を消灯させる照明装置が提供されている。例えば特許文献１には、リモコン送信器に人感センサ部を設けた照明制御装置が開示されている。この従来例は、リモコン送信器が人感センサ部を備えており、人感センサ部が人を検知すると、リモコン制御部が送信部から照明器具へワイヤレス信号にて制御信号を送信させる。照明器具では、受信部がリモコン送信器からの制御信号を受信すると、器具制御部が受信部を介して入力された制御信号に基づいて負荷制御信号を発生し、負荷制御部が負荷制御信号に基づいて照明負荷を点灯させる。
【先行技術文献】
【特許文献】
【０００３】
【特許文献１】特開平１０−３２６６８０号公報
【発明の概要】
【発明が解決しようとする課題】
【０００４】
上記従来例のように、人感センサを用いた照明装置では、人感センサが人の存否を検知し、人が存在すると検知した場合には自動的に光源を点灯し、人を検知しない場合には自動的に光源を消灯する。ここで、例えば人感センサが焦電センサから成る場合には、人の移動に起因する赤外線エネルギーの変化を検出することで、人の存否を検知している。このため、人が静止している場合には、人の存否を検出することが困難となる。したがって、このような人感センサによる自動的な点灯制御では、人が静止していて人感センサが人を検知できない場合には、人が存在するにも関わらず光源が消灯されるという問題があった。
【０００５】
本発明は、上記の点に鑑みて為されたもので、人が静止していて人感センサが人を検知できない場合でも、光源が消灯するのを極力回避することのできる照明装置を提供することを目的とする。
【課題を解決するための手段】
【０００６】
本発明の照明装置は、光源及びその点灯回路を有する光源部と、前記光源部を保持する器具本体と、前記点灯回路を制御して前記光源の点灯制御を行う制御部と、人の存否を検知する人感センサと、１乃至複数の電気機器を遠隔操作するためのリモコンから送信されるリモコン信号を受信する受信部とを備え、前記制御部は、前記人感センサが人の存在を検知すると前記光源を点灯させ、少なくとも前記人感センサが人の存在を検知しなくなってから所定の維持時間が経過するまでは前記光源の点灯を維持し、且つ前記リモコン信号から前記電気機器の動作状態を把握し、前記何れかの電気機器が動作している場合には、前記維持時間が経過してからも前記光源の点灯を維持することを特徴とする。
【０００７】
本発明の照明装置は、光源及びその点灯回路を有する光源部と、前記光源部を保持する器具本体と、前記点灯回路を制御して前記光源の点灯制御を行う制御部と、人の存否を検知する人感センサと、１乃至複数の電気機器を遠隔操作するためのリモコンから送信されるリモコン信号を受信する受信部とを備え、前記制御部は、前記人感センサが人の存在を検知すると前記光源を点灯させ、少なくとも前記人感センサが人の存在を検知しなくなってから所定の維持時間が経過するまでは前記光源の点灯を維持し、且つ前記リモコン信号から前記電気機器の動作状態を把握し、前記維持時間は、前記何れかの電気機器が動作している場合には、通常時よりも長く設定されることを特徴とする。
【０００８】
この照明装置において、前記器具本体には、前記電気機器に対して前記リモコン信号を送信する送信部が設けられ、前記制御部は、前記人感センサが人を検知しなくなってから前記維持時間を経過すると、前記電気機器の動作状態を変化させる操作情報を含む前記リモコン信号を前記送信部から前記電気機器に対して送信させることが好ましい。
【０００９】
この照明装置において、前記リモコン信号は、近赤外線信号又は電磁波を媒体とする無線信号であることが好ましい。
【発明の効果】
【００１０】
本発明は、人が静止していて人感センサが人の存在を検知できない場合でも、光源が消灯するのを極力回避することができるという効果を奏する。
【図面の簡単な説明】
【００１１】
【図１】本発明に係る照明装置の実施形態１を示す図で、（ａ）は全体概略図で、（ｂ）は照明器具のブロック図である。
【図２】同上の照明装置の動作を示すフローチャート図である。
【図３】本発明に係る照明装置の実施形態２の動作を示すフローチャート図である。
【図４】本発明に係る照明装置の実施形態３を示す図で、（ａ）は全体概略図で、（ｂ）は照明器具におけるリモコン送信部の配置を示す平面図で、（ｃ）は照明器具のブロック図である。
【図５】同上の照明装置の動作を示すフローチャート図である。
【発明を実施するための形態】
【００１２】
（実施形態１）
以下、本発明に係る照明装置の実施形態１について図面を用いて説明する。本実施形態は、図１（ａ）に示すように、天井に設置される照明装置１であって、壁面のエアコン２（電気機器）、床面のテレビ３（電気機器）及びＤＶＤプレーヤー４（電気機器）が設置される空間に設けられる。エアコン２、テレビ３、ＤＶＤプレーヤー４は共用のリモコン５によって遠隔操作が可能となっている。
【００１３】
照明装置１は、図１（ａ），（ｂ）に示すように、ランプ１０Ａ（光源）及びその点灯回路１０Ｂを有する光源部１０と、制御部１１と、人感センサ１２と、受信部１３と、これらを保持する器具本体１４とで構成される。
【００１４】
ランプ１０Ａは、例えば放電灯やＬＥＤランプであり、点灯回路１０Ｂは、ランプ１０Ａの種類に応じて適宜変更される。例えば、ランプ１０ＡがＬＥＤランプである場合は、点灯回路１０Ｂは、商用電源からの交流電圧を直流電圧に変換してランプ１０Ａに印加するＡＣ／ＤＣコンバータ等で構成される。なお、ランプ１０Ａ及び点灯回路１０Ｂについては従来周知であるので、ここでは詳細な説明を省略する。
【００１５】
制御部１１は、マイコンから成り、点灯回路１０Ｂに制御信号を与えることで点灯回路１０Ｂを制御し、ランプ１０Ａの点灯制御、及び調光制御を行う。特に、本実施形態の制御部１１は、後述する人感センサ１２からの検知信号、及び後述する受信部１３からのリモコン信号に基づいて、ランプ１０Ａの点灯制御を行う。また、制御部１１は、リモコン信号に含まれるエアコン２、テレビ３、ＤＶＤプレーヤー４の操作情報（ここでは、電源のオン／オフ状態）を読み取り、各電気機器が動作中であるか否かを判定する。
【００１６】
人感センサ１２は、焦電センサから成り、人の移動に起因する赤外線エネルギーの変化を検出することで、照明空間における人の存否を検知する。人感センサ１２は、人の存否に関する情報をディジタル信号である検知信号として制御部１１に送信する。制御部１１では、受信した検知信号に基づいて照明空間に人が存在するか否かを判定する。
【００１７】
受信部１３は、赤外線受光部から成り、後述するリモコン５から送信される近赤外線信号であるリモコン信号を受信する。また、受信部１３は、受信したリモコン信号をディジタル信号に変換して、制御部１１に送信する。なお、本実施形態では受信部１３は赤外線受光部であるが、後述するようにリモコン信号がＲＦ信号である場合には、赤外線受光部に代えてＲＦ信号の受信モジュールを設ければよい。
【００１８】
リモコン５は、近赤外線信号を出力する赤外線発光ダイオード（図示せず）を２つ有し、一方の赤外線発光ダイオードは、リモコン５を水平面に載置したときに壁面と対向する面に設けられる。また、他方の赤外線発光ダイオードは、リモコン５を水平面に載置したときに天井と対向する面に設けられる。したがって、例えばリモコン５を用いてエアコン２を遠隔操作する場合には、一方の赤外線発光ダイオードからエアコン２に対してリモコン信号が送信され、且つ他方の赤外線発光ダイオードから天井に設置された照明装置１に対してリモコン信号が送信される。
【００１９】
なお、本実施形態では、赤外線発光ダイオードから送信される近赤外線信号をリモコン信号としているが、電磁波を媒体とする無線信号であるＲＦ信号をリモコン信号としてもよい。この場合、ＲＦ信号の放射源であるアンテナが無指向性であることから、近赤外線信号をリモコン信号とする場合のようにリモコン５を対象機器に向けて操作する必要がなく、利便性が向上する。また、近赤外線信号をリモコン信号とする場合のように、リモコン５に赤外線発光ダイオードのような送信用素子を複数設ける必要がない。
【００２０】
以下、本実施形態の動作について図２を用いて説明する。まず、人感センサ１２が人の存否を検知して、制御部１１に検知信号を送信する。制御部１１は、検知信号を受信すると、点灯回路１０Ｂを制御してランプ１０Ａを点灯させる。人感センサ１２が人の存在を検知しなくなると、制御部１１への検知信号の送信が停止する。制御部１１は、検知信号の受信が停止すると、所定の維持時間の計時を開始し、維持時間が経過するまではランプ１０Ａの点灯を維持させる。なお、維持時間が経過するまでに人感センサ１２が人の存在を検知して検知信号を送信する場合には、制御部１１は維持時間の計時をリセットし、再び人感センサ１２が人の存在を検知しなくなると改めて維持時間の計時を開始する。
【００２１】
維持時間が経過すると、制御部１１は予めリモコン５から受信したリモコン信号に含まれる操作情報に基づいて、エアコン２、テレビ３、ＤＶＤプレーヤー４のうち少なくとも何れかの電気機器が動作中であるか否かを判定する。そして、何れかの電気機器が動作中であれば、人感センサ１２では検知できていないが照明空間に静止している人が存在すると判定し、ランプ１０Ａの点灯を維持させる。一方、何れの電気機器も動作していない場合には、制御部１１は、照明空間に静止している人が存在しないと判定し、点灯回路１０Ｂを制御してランプ１０Ａを消灯させる、又はランプ１０Ａの光量を下げるように調光させる。
【００２２】
上述のように、本実施形態では、リモコン５を操作した時に、ユーザが特に意識することなく照明装置１に各電気機器の動作状態を伝えることができる。そして、本実施形態では、人が静止していて人感センサ１２が人の存在を検知できない場合でも、何れかの電気機器が動作中であればランプ１０Ａの点灯を維持することができる。したがって、人が存在するにも関わらず不意にランプ１０Ａが消灯するという問題を回避することができる。
【００２３】
（実施形態２）
以下、本発明に係る照明装置の実施形態２について図面を用いて説明する。但し、本実施形態の基本的な構成は実施形態１と共通であるので、共通する部位には同一の番号を付して説明を省略する。実施形態１では、何れかの電気機器が動作中であれば、維持時間の経過後もランプ１０Ａの点灯を維持させる。しかしながら、例えば本当に人が存在しない場合、すなわち、何れかの電気機器を動作させた状態で人が照明空間から離れた場合にもランプ１０Ａの点灯を維持させてしまい、無駄に電力を消費してしまう虞がある。これは、近年推し進められている省エネの観点からすると好ましくない。
【００２４】
そこで、本実施形態の制御部１１は、図３に示すように、人感センサ１２が人を検知した時点で何れかの電気機器が動作中であるか否かを判定している。そして、制御部１１は、何れの電気機器も動作していない場合は第１の維持時間、少なくとも何れか１つの電気機器が動作している場合は第２の維持時間を設定する。なお、第２の維持時間は、第１の維持時間よりも長く設定される。
【００２５】
その後、人感センサ１２が人の存在を検知しなくなると、制御部１１は設定された維持時間の経時を開始し、経時時間が経過するまではランプ１０Ａの点灯を維持させる。なお、維持時間が経過するまでに人感センサ１２が人の存在を検知した場合には、制御部１１は維持時間の計時をリセットするとともに、電気機器の動作判定を行って改めて維持時間を設定する。そして、再び人感センサ１２が人の存在を検知しなくなると、制御部１１は改めて維持時間の計時を開始する。設定された維持時間が経過すると、制御部１１は、点灯回路１０Ｂを制御してランプ１０Ａを消灯させる、又はランプ１０Ａの光量を下げるように調光させる。
【００２６】
上述のように、本実施形態では、人が照明空間に存在する可能性が高いと考えられる何れかの電気機器が動作中の場合に、維持時間を第２の維持時間に設定する、すなわち、通常時よりも長い維持時間に設定している。つまり、人が静止していたとしても、その時間が長期に亘るものでなければ、第２の維持時間が経過するまでに人感センサ１２が人の存在を検知してランプ１０Ａの点灯を維持させることができる。これにより、人が静止していて人感センサ１２が人の存在を検知できない場合でも、ランプ１０Ａが消灯するのを極力回避することができる。また、人感センサ１２が人の存在を検知せずに第２の維持時間を経過した場合には、ランプ１０Ａが消灯又は光量を下げて調光されるので、無駄な消費電力の消費を抑えることができる。
【００２７】
（実施形態３）
以下、本発明に係る照明装置の実施形態３について図面を用いて説明する。但し、本実施形態の基本的な構成は実施形態１，２と共通であるので、共通する部位には同一の番号を付して説明を省略する。実施形態２では、例えばテレビに夢中になっているために第２の維持時間が経過するまで人が静止していた場合には、ランプ１０Ａが消灯する。その後、人が動いて人感センサ１２が人の存在を検知するまでは、照明空間に人が存在するにも関わらずランプ１０Ａが消灯した状態が続いてしまう。
【００２８】
そこで、本実施形態では、図４（ａ）〜（ｃ）に示すように、照明装置１の器具本体１４に、各電気機器に対して遠赤外線であるリモコン信号を送信する複数（図示では４つ）の送信部１５を設けている。送信部１５を複数設けているのは、照明装置１の四方にリモコン信号を送信できるようにするためである。勿論、無指向性のＲＦ信号をリモコン信号とする場合には、ＲＦ信号の送信用モジュールを送信部１５として１つだけ設ければよい。
【００２９】
送信部１５から送信されるリモコン信号には、各電気機器の動作状態（電源のオン／オフ、エアコン２であれば設定温度、テレビ３又はＤＶＤプレーヤー４であれば設定音量など）を変化させる操作情報が含まれる。例えば、エアコン２に対してリモコン信号を送信する場合には、エアコンの電源をオン／オフする、或いはエアコン２の設定温度を上げる又は下げる操作情報がリモコン信号に含まれる。また、テレビ３又はＤＶＤプレーヤー４に対してリモコン信号を送信する場合には、テレビ３又はＤＶＤプレーヤー４の電源をオンオフする、或いはテレビ３又はＤＶＤプレーヤー４の設定音量を上げる又は下げる操作情報がリモコン信号に含まれる。
【００３０】
以下、本実施形態の動作について図５を用いて説明する。まず、実施形態２と同様に、制御部１１は、人感センサ１２が人を検知した時点で何れかの電気機器が動作中であるか否かを判定する。そして、制御部１１は、何れの電気機器も動作していない場合は第１の維持時間、少なくとも何れか１つの電気機器が動作している場合は第２の維持時間を設定する。
【００３１】
その後、設定された維持時間が経過すると、制御部１１は、何れかの電気機器に対して動作状態を変化させる操作情報を含むリモコン信号を送信部１５から送信させる。例えば、エアコン２に対してリモコン信号を送信する場合であれば、エアコン２の現在の設定温度を上げる又は下げる操作情報を含むリモコン信号を送信部１５から送信させる。また、制御部１１は、リモコン信号を送信部１５から送信させるとともに、維持時間を第３の維持時間に設定する。
【００３２】
リモコン信号を受信した電気機器（この場合はエアコン２）では、リモコン信号に含まれる操作情報に従って動作状態を変化させる。この場合では、エアコン２の現在の設定温度を上げる又は下げるものとする。これにより、照明空間にいる人が暑い又は寒いと感じることでエアコン２の動作状態の変化に気づき、何らかの動きをする可能性を高めることができる。
【００３３】
そして、人感センサ１２が人の存在を検知すれば、制御部１１は、動作状態を変化させた電気機器を元の状態に戻すようにリモコン信号を送信部１５から送信させ、そのままランプ１０Ａの点灯を維持させる。一方、人感センサ１２が人の存在を検知しない場合には、維持時間を設定してから第３の維持時間が経過すると、制御部１１は、点灯回路１０Ｂを制御してランプ１０Ａを消灯させる、又はランプ１０Ａの光量を下げるように調光させる。また、制御部１１は、動作状態を変化させた電気機器を元の状態に戻すようにリモコン信号を送信部１５から送信させる。
【００３４】
上述のように、本実施形態では、人感センサ１２が人の存在を検知しなくなってから設定された維持時間が経過すると、何れかの電気機器の動作状態を変化させることで、照明空間で静止している人に対して動くように促している。これにより、人が静止していて人感センサ１２が人の存在を検知できない場合でも、再度人感センサ１２により人の存在を検知できる確率を高めることができるので、ランプ１０Ａが消灯するのを極力回避することができる。
【００３５】
なお、上記各実施形態では、１つのリモコン５でエアコン２、テレビ３、ＤＶＤプレーヤー４の各電気機器を遠隔操作しているが、個別にリモコン５を用意してもよい。この場合でも、各リモコン５から送信されるリモコン信号を受信部１３で受信する、又は各電気機器に対して送信部１５からリモコン信号を送信することで、上記各実施形態と同様の効果を奏することができる。
【符号の説明】
【００３６】
１  光源部
１０Ａ  ランプ（光源）
１０Ｂ  点灯回路
１１  制御部
１２  人感センサ
１３  受信部
１４  器具本体
２  エアコン（電気機器）
３  テレビ（電気機器）
４  ＤＶＤプレーヤー（電気機器）
５  リモコン
【図１】
2013084386.tif 000003
【図２】
2013084386.tif 000004
【図３】
2013084386.tif 000005
【図４】
2013084386.tif 000006
【図５】
2013084386.tif 000007